(57)【特許請求の範囲】
【請求項１】
支持パイプの先端部にノズル本体を取り付け、前記ノズル本体のノズル口から摺動開閉装置を構成する固定プレートおよび摺動プレートの各摺接面に液剤を付着させるための摺動開閉装置用液剤塗布機において、前記ノズル口を、前記ノズル本体の前記支持パイプが取り付けられている面と同一の面に形成したことを特徴とする摺動開閉装置用液剤塗布機。
【請求項２】
前記ノズル口を、前記ノズル本体の前記支持パイプが取り付けられている面に対向する面にも形成し、前記各ノズル口のうちいずれのノズル口から液剤を塗布するかを切り換え可能としたことを特徴とする請求項１に記載の摺動開閉装置用液剤塗布機。
【発明の詳細な説明】
【０００１】
【発明の属する技術分野】
本発明は摺動開閉装置用液剤塗布機に係り、特に溶融金属器に装着された摺動開閉装置の固定プレートおよび摺動プレートの摺接面に液剤を塗布する摺動開閉装置用液剤塗布機に関する。
【０００２】
【従来の技術】
一般に、取鍋等の金属を溶融する容器である溶融金属容器の出湯口の下方には、摺動開閉装置が装着されている。
【０００３】
この摺動開閉装置は、貫通孔が形成された固定プレートを有し、この固定プレートの下面には、貫通孔が形成された摺動プレートが前記固定プレートに対して摺動自在に配設されている。そして、この摺動開閉装置は、前記固定プレートの貫通孔が前記出湯口に合致するように装着されており、前記摺動プレートを往復移動若しくは回転移動させて両貫通孔の合致面積を調整することにより、前記出湯口の開度を調整するようになっている。
【０００４】
このような摺動開閉装置の固定プレートおよび摺動プレートは、直接溶融金属容器に接しており、高温、高面圧状態において摺動されるので、その固定プレートと摺動プレートが相互に摺接する摺接面の損傷が激しい。このため、前記摺動開閉装置の個々のプレートに分解し、各プレートの摺接面を確認しながら、各摺接面の損傷箇所に補修剤を塗布し、かつ前記各プレートの全面に潤滑剤を塗布することが好ましい。
【０００５】
しかし、前記摺動開閉装置を分解すると、前記各プレートの摺接面が外気によって急激に冷却されて微少なひび割れが生じてしまう場合がある。また、各プレートの摺接面は面圧力から解放されるので、各プレートの摺接面が浮き出してしまい目地切れが生じてしまうことも考えられる。さらに、各プレート毎に分解して補修剤や潤滑剤等の液剤を塗布する場合には、複数の人数によって液剤を塗布する作業を行わなければならず作業効率が悪くなってしまう。
【０００６】
このため、摺動開閉装置を分解せずに摺動開閉装置用液剤塗布機を用いて固定プレートおよび摺動プレートの各摺接面に液剤を塗布する塗布作業を行うことが考えられている。
【０００７】
図４は従来の摺動開閉装置用液剤塗布機を示す概念図であり、図４に示すように、従来の摺動開閉装置用液剤塗布機４１は、内部に図示しない空気送給パイプが設けられた支持パイプ４６を有しており、この支持パイプ４６の内部であって前記空気送給パイプの外側部分は液剤送給路とされている。また、この支持パイプ４６の先端部にはノズル本体４３が取り付けられており、このノズル本体４３の前記支持パイプ４６が取り付けられている面と対向する先端面には、前記支持パイプ４６によって送給された液剤および前記空気送給パイプによって送給された空気をともに噴出させるノズル口４４が形成されている。また、支持パイプ４６の他端部には、図示しないバルブを介して前記液剤４２を送給する図示しない送給ホース、および前記空気を送給する送給ホースが接続されており、これら送給配管は、前記液剤や空気が貯留されている図示しないポンプにそれぞれ接続されている。
【０００８】
そして、前記塗布作業を行う場合、まず前記各プレートの貫通孔を合致させずに前記出湯口を全閉鎖状態とし、前記摺動開閉装置用液剤塗布機４１を摺動プレートの貫通孔から挿入する。続いて、前記摺動プレートを摺動させながら、固定プレートの摺接面に向けて前記摺動開閉装置用液剤塗布機４１のノズル口４４から液剤４２を直接塗布する。次に、この固定プレートの摺接面と摺動プレートの摺接面とを摺り合わせるようにして前記摺動プレートを摺動させることにより、各プレートの摺接面に前記液剤４２を付着させる。
【０００９】
【発明が解決しようとする課題】
しかし、前述のように従来の摺動開閉装置用液剤塗布機４１を用いて塗布作業を行う場合、まず固定プレートの摺接面に液剤４２を塗布するので、この液剤４２の大半は直接塗布された固定プレートの摺接面に付着してしまい、摺動して固定プレートの摺接面と摺接することによって損傷の激しい摺動プレートの摺接面にはほとんど液剤４２を塗布することができない場合があった。この結果、液剤を前記摺動プレートの摺接面に確実に塗布することができないため各プレートの摺接面を確実に補修することができず、また潤滑剤を確実に前記摺動プレートの摺接面に塗布することができないため円滑に各プレートを摺動させることができないという問題を有していた。
【００１０】
本発明はこれらの点に鑑みてなされたものであり、摺動開閉装置を固定プレート、摺動プレート毎に分解することなく、各プレート特に摺動プレートの摺接面に確実に補修剤や潤滑剤等の液剤を塗布することができる摺動開閉装置用液剤塗布機を提供することを目的とする。
【００１１】
【課題を解決するための手段】
前記目的を達成するため、請求項１に記載の発明に係る摺動開閉装置用液剤塗布機は、支持パイプの先端部にノズル本体を取り付け、前記ノズル本体のノズル口から摺動開閉装置を構成する固定プレートおよび摺動プレートの各摺接面に液剤を付着させるための摺動開閉装置用液剤塗布機において、前記ノズル口を、前記ノズル本体の前記支持パイプが取り付けられている面と同一の面に形成したことを特徴とする。
【００１２】
この請求項１に記載の発明によれば、補修剤や潤滑剤等の液剤を塗布するノズル口が前記ノズル本体のうち前記支持パイプが取り付けられている面と同一面に形成されているので、本摺動開閉装置用液剤塗布機を摺動プレートの貫通孔から挿入し、ノズル本体を固定プレートの貫通孔の内部に位置させてノズル口から液剤を塗布することにより、摺動プレートの摺動面に直接液剤を塗布することができる。
【００１３】
また、請求項２に記載の発明に係る摺動開閉装置用液剤塗布機は、前記ノズル口を、前記ノズル本体の前記支持パイプが取り付けられている面に対向する面にも形成し、前記各ノズル口のうちいずれのノズル口から液剤を塗布するかを切り換え可能としたことを特徴とする。
【００１４】
この請求項２に記載の発明によれば、一方のノズル口から液剤を塗布させることにより摺動プレートの摺接面に直接液剤を塗布することができるとともに、前記ノズル本体を摺動プレートの貫通孔の内部に位置させ、切り換えバルブを切り換えて他方のノズル口から液剤を塗布させることにより、固定プレートの摺接面に直接液剤を塗布することもできる。
【００１５】
【発明の実施の形態】
以下、本発明に係る摺動開閉装置用液剤塗布機の実施形態を図１から図３を参照して説明する。
【００１６】
図１は、本実施形態に係る摺動開閉装置用液剤塗布機および摺動開閉装置が配設された溶融金属容器を示す概念図である。
【００１７】
ここで、図１に示すように、本実施形態に係る摺動開閉装置用液剤塗布機１は、溶融金属装置３の出湯口５の下方に装着された摺動開閉装置２に用いられるものである。この摺動開閉装置２は、耐火煉瓦により構成された固定プレート７を有しており、この固定プレート７には、貫通孔８が前記出湯口５に合致するように形成されている。また、この固定プレート７の下面には、耐火煉瓦により構成された摺動プレート９が前記固定プレート７の下面に対して摺動自在に配設されており、この摺動プレート９には、前記固定プレート７の貫通孔８に対応するような貫通孔１０が形成されている。これら固定プレート７および摺動プレート９の相互に摺接する面は、それぞれ固定プレート７の摺接面１１および摺動プレート９の摺接面１２とされている。
【００１８】
そして、この摺動開閉装置２は、前記摺動プレート９を往復移動若しくは回転移動させて両貫通孔８、１０の合致面積を調整することにより、前記溶融金属装置３の出湯口５の開度を調整するようになっている。
【００１９】
また、本実施形態に係る摺動開閉装置用液剤塗布機１は、長尺状に形成され内部が中空とされた円筒状を有する支持パイプ１４を有している。この支持パイプ１４の内部には、空気を送給する空気送給パイプ１５が前記支持パイプ１４と同軸状に配設されており、また、前記支持パイプ１４の内部であって前記空気送給パイプ１５の外側部分は、補修剤や潤滑剤等の液剤１６を送給する液剤送給路１３とされている。
【００２０】
また、前記前記支持パイプ１４の先端には、前記支持パイプ１４から送給される液剤１６を塗布するノズル本体１８が取り付けられている。
【００２１】
この前記ノズル本体１８の基端面には、図２に示すように、前記支持パイプ１４を接続するため内周面にネジ山が形成された取り付け用孔１７が形成されており、また、前記ノズル本体１８の内部には、前記取り付け用孔１７から前記ノズル本体１８の先端面近傍に至る連通孔３２が穿設されている。さらに、前記ノズル本体１８の内部には、この連通孔３２の先端部から前記ノズル本体１８の先端面に沿って延び基端面の方向に指向される空気送給路１９が形成されている。また、前記支持パイプ１４の先端部には、取り付け用孔１７のネジ山と螺合されるネジ山が形成されており、このネジ山を取り付け用孔１７のネジ山に螺合させることにより、前記支持パイプ１４を前記ノズル本体１８に対して取り付けるようになっている。さらに、前記支持パイプ１４の先端部には、取り付けナット３０が螺合されており、この取り付けナット３０をＯリング３１を介してノズル本体１８側に締め付けることにより、支持パイプ１４とノズル本体１８との気密性を保持するようになっている。この状態において、ノズル本体１８の先端は、前記連通孔３２の下方に位置するとともに、空気送給パイプ１５の先端部は、前記連通孔３２の内部を通って前記空気送給路１９に連通するように形成されている。
【００２２】
また、前記空気送給路１９の先端部には、前記空気送給パイプ１５により空気送給路１９を介して送給される空気を噴出させる空気ノズル２０が配設されており、この空気ノズル２０の先端方向には、前記支持パイプ１４の液剤送給路１３により連通孔３２から図示しない液剤送給路を介して送給される液剤１６と、前記空気ノズル２０から噴射された空気とを撹拌する撹拌室３３が形成されている。
【００２３】
さらに、前記撹拌室３３の先端方向には前記空気と撹拌された液剤１６を噴出させる噴霧ノズル２１が配設されており、この噴霧ノズル２１の先端であるノズル本体１８のノズル口２２は、前記ノズル本体１８のうち前記支持パイプ１４が取り付けられている基端面に位置するように配置されている。これにより、前記ノズル本体１８は、液剤１６を前記噴霧ノズル２１のノズル口２２から噴出させることによって、前記支持パイプ１４が液剤１６を送給する方向を正方向とした場合の逆方向に前記液剤１６を噴出させるようになっている。
【００２４】
さらに、前記支持パイプ１４の他端部には、前記空気送給パイプ１５に空気を送給する送給ホース２４および前記支持パイプ１４に液剤１６を供給する送給ホース２５がそれぞれバルブ２６、２７を介して連設されており、前記各送給ホース２４、２５の他端部は、それぞれ図示しない空気ポンプおよび液剤ポンプに接続されている。
【００２５】
次に、本実施形態の作用について説明する。
【００２６】
まず、摺動開閉装置２を構成する固定プレート７および摺動プレート９の各貫通孔８、１０を合致させて溶融金属装置３の出湯口５を全開口状態とし、前記摺動開閉装置用液剤塗布機１を摺動プレート９の貫通孔１０から挿入し、ノズル本体１８を前記固定プレート７の貫通孔８の内部に位置させる。
【００２７】
次に、摺動開閉装置用液剤塗布機１の支持パイプ１４を挟まない程度に前記摺動プレート９を摺動させて前記溶融金属装置３の出湯口５を半閉鎖状態とする。これにより、前記ノズル本体１８のノズル口２２が、前記摺動プレート９の摺動面１２に対向することとなる。この状態において、前記空気ポンプおよび液剤ポンプを作動させ、前記各バルブ２６、２７を開状態にして、液剤１６および空気を前記空気送給パイプ１５および支持パイプ１４の液剤送給路１３を介してノズル本体１８に送給する。
【００２８】
そして、送給された空気を空気送給路１９を介して空気ノズル２０によって噴出させるとともに送給された液剤１６を液剤送給配管を介して撹拌室３３に供給し、この液剤１６を前記空気とともに前記ノズル口２２から噴霧状に噴出させることにより、前記摺動プレート９の摺動面１２に前記液剤１６を塗布する。
【００２９】
続いて、前記摺動プレート９を摺動させて前記溶融金属装置３の出湯口５を全開口状態とし、前記摺動開閉装置用液剤塗布機１を前記摺動プレート９の貫通孔１０から取り出して、前記固定プレート７の摺接面１１と前記摺動プレート９の摺動面１２とを摺り合わせるように前記摺動プレート９を摺動させる。これにより、前記各摺接面１１、１２に前記液剤１６を付着させるとともに、余分な液剤１６を取り除く。
【００３０】
本実施形態によれば、液剤１６を塗布するノズル口２２が前記ノズル本体１８のうち前記支持パイプ１４が取り付けられている面と同一面に形成されているので、摺動して固定プレート７の摺接面１１と摺接することにより損傷の激しい摺動プレート９の摺動面１２に直接液剤１６を塗布することができる。
【００３１】
したがって、摺動開閉装置２を固定プレート７、摺動プレート９に分解することなく、摺動プレート９の摺接面１２に確実に液剤１６を塗布することができ、この結果、液剤１６として補修剤を塗布することにより摺動プレート９の摺接面１２を確実に補修することができる。また、液剤１６として潤滑剤を塗布することにより、摺動プレート９を円滑に摺動させることができる。
【００３２】
また、図３は、本発明に係る摺動開閉装置用液剤塗布機３１の第２の実施形態を示す概念図であり、図３に示すように、第２の実施形態に係る摺動開閉装置用液剤塗布機３１のノズル本体３２には、第１の実施形態と同じく支持パイプ３６が取り付けられている基端面にノズル口３４が形成されている。また、このノズル口３４とは別に、前記ノズル本体の支持パイプ３６が取り付けられている面と対向する先端面には、他のノズル口３５が形成されている。
【００３３】
また、これら各ノズル口３４、３５には、図示しない１の液剤送給路および空気送給路から分岐されてそれぞれ液剤３３および空気が送給されるようになっている。この分岐された液剤送給路および空気送給路の分岐路には、これら液剤送給路および空気送給路のうちいずれか一方の液剤送給路および空気送給路に液剤３３および空気を送給することを切り換えるための切り換えバルブ（図示せず）がそれぞれ設けられている。
【００３４】
さらに、前記ノズル本体３２の外部側面には、前記各液剤送給路および各空気送給路を切り換えるために前記各切り換えバルブを動かすバルブ切り換えつまみ３７が設けられている。
【００３５】
そして、前記バルブ切り換えつまみ３７によって各切り換えバルブを動かすことによって、分岐された２つの液剤送給路および空気送給路のうち一方の液剤送給路および空気送給路に選択的に液剤３３および空気を送給することができるようになっている。
【００３６】
なお、本第２実施形態の他の構成は、前記第１の実施形態の構成と同様であるので、説明を省略する。
【００３７】
次に、本第２の実施形態の摺動開閉装置用液剤塗布機３１を前記第１の実施形態において記載した摺動開閉装置２に利用した場合について説明する。
【００３８】
本実施形態によれば、摺動開閉装置用液剤塗布機３１を摺動プレート９の貫通孔１０から挿入し、前記摺動開閉装置用液剤塗布機３１のノズル本体３２を固定プレート７の貫通孔８の内部に位置させ、逆方向に液剤３３を噴出させることにより、摺動プレート９の摺接面１２に直接液剤３３を塗布させることができる。一方、前記ノズル本体３２を摺動プレート９の貫通孔１０の内部に位置させ、バルブ切り換えつまみ３７によって液剤３３が噴出する方向を正方向に切り換え、正方向に液剤３３を噴出させることにより、固定プレート７の摺接面１１にも直接液剤３３を塗布させることができる。
【００３９】
したがって、摺動プレート９の摺接面１２に直接液剤３３を塗布するだけでなく、固定プレート７の摺接面１１にも直接液剤３３を塗布することができるので、液剤３３として補修剤を塗布したときにはより確実に各プレート７、８の摺接面１１、１２を補修することができる。また、液剤３３として潤滑剤を塗布したときには、より円滑に摺動プレート９を固定プレート７に対して摺動させることができる。
【００４０】
なお、本各実施形態においては、前記ノズル本体１８、３２に空気と液剤１６、３３とを別個に送給し、液体ノズル本体本体２１によって噴出された空気とともに液剤１６、３３を噴出させることにより、前記液剤１６、３３をノズル口２２、３４、３５から噴霧状に噴出させるものであるが、これに限定されるものではない。例えば、液剤１６、３３に圧力をかけながら送給する液体圧送ポンプを用いて前記液剤１６、３３に高圧力をかけながら噴出させることにより、前記液剤１６、３３をノズル口２２、３４、３５から噴霧状に噴出させるものであってもよい。
【００４１】
なお、本発明は前記実施形態に限定されるものではなく、必要に応じて種々変更することが可能である。
【００４２】
【発明の効果】
以上述べたように、請求項１に記載の発明に係る摺動開閉装置用液剤塗布機によれば、確実に摺動プレートの摺接面に液剤を塗布することができ、これにより、液剤として液剤を塗布することによって確実に前記摺接面を補修し、または潤滑剤を塗布することによって円滑に摺動プレートを摺動させることができる。
【００４３】
また、請求項２に記載の発明に係る摺動開閉装置用液剤塗布機によれば、摺動プレートの摺接面のみならず、固定プレートの摺接面に確実に液剤を塗布することができ、これにより、一層確実に摺接面を補修し、また摺動プレートを固定プレートに対して円滑に摺動させることができる。
【図面の簡単な説明】
【図１】  本発明に係る摺動開閉装置用液剤塗布機の使用状態を示す概念図
【図２】  図１に示す摺動開閉装置用液剤塗布機のノズル本体を示す断面図
【図３】  本発明に係る他の摺動開閉装置用液剤塗布機を示す概念図
【図４】  従来の摺動開閉装置用液剤塗布機を示す概念図
【符号の説明】
１  摺動開閉装置用液剤塗布機
２  摺動開閉装置
３  溶融金属容器
５  出湯口
７  固定プレート
８  貫通孔
９  摺動プレート
１０  貫通孔
１１  摺接面
１２  摺接面
１４  支持パイプ
１６  液剤
１８  ノズル本体
２２  ノズル口
【図１】
0003813866.tif 000002
【図２】
0003813866.tif 000003
【図３】
0003813866.tif 000004
【図４】
0003813866.tif 000005